(57)【要約】      （修正有）【課題】手で体を揉むようなマッサージ効果を、同時に全身で受けることが可能になる高圧ルーム及び高圧ルームの気圧制御方法を提供する。【解決手段】居住空間を形成するチャンバ１０と、チャンバ内の気圧を上げるための加圧手段２０と、チャンバ内の気圧を下げるための減圧手段２２とを備え、加圧手段と減圧手段とを用いて、チャンバ内の気圧を脈動させ、チャンバ内の人の体に、気圧の変化によるマッサージを行うことを特徴とする。【選択図】図１
2019025200.tif 000002
【特許請求の範囲】
【請求項１】
室内の気圧を常圧より高圧に維持可能な居住空間を有する高圧ルームにおいて、
該居住空間を形成するチャンバと、
該チャンバ内の気圧を上げるための加圧手段と、
該チャンバ内の気圧を下げるための減圧手段とを備え、
該加圧手段と該減圧手段とを用いて、該チャンバ内の気圧を脈動させ、該チャンバ内の人の体に、気圧の変化によるマッサージを行うことを特徴とする高圧ルーム。
【請求項２】
常圧より高圧な気圧帯域で、前記チャンバ内の気圧を脈動させることを特徴とする請求項１記載の高圧ルーム。
【請求項３】
室内の気圧を常圧より高圧に維持可能な居住空間を有する高圧ルームの気圧制御方法において、
該居住空間を形成するチャンバ内の気圧を上げるための加圧手段と該チャンバ内の気圧を下げるための減圧手段とを用いて、該チャンバ内の気圧を脈動させ、該チャンバ内の人の体に、気圧の変化によるマッサージを行うことを特徴とする高圧ルームの気圧制御方法。
【請求項４】
常圧より高圧な気圧帯域で、前記チャンバ内の気圧を脈動させることを特徴とする請求項３記載の高圧ルームの気圧制御方法。
【発明の詳細な説明】
【技術分野】
【０００１】
本発明は、室内の気圧を常圧より高圧に維持可能な居住空間を有する高圧ルーム及び高圧ルームの気圧制御方法に関する。
【背景技術】
【０００２】
従来より、室内の気圧を常圧より高圧に設定して高圧酸素治療等が行われている。このための高圧ルームであるチャンバが、各種提案されている。例えば、特許文献１の変圧チャンバは、患者を取り囲むのに充分な容積を有する略気密のエンクロージャと、エンクロージャへのアクセスを提供するために適合するシール自在開口部と、シール自在開口部を密封するために適合する閉鎖メカニズムと、エンクロージャの流入口に流動的に連結される可逆圧縮機と、エンクロージャの流出口に流動的に連結される流出口流量調整装置とにより構成されている。
【０００３】
従来の特許文献１の変圧チャンバは、エンクロージャの外側に設けられた１つの可逆圧縮機により、エンクロージャ内の圧力を可変させている。また、エンクロージャへの空気の取り入れは、エンクロージャの流出口に流動的に連結される弁構造を有する流出口流量調整装置によって行っている。
【先行技術文献】
【特許文献】
【０００４】
【特許文献１】特表２０１０−５１７７０６号公報
【発明の概要】
【発明が解決しようとする課題】
【０００５】
しかしながら、従来の一般的な変圧チャンバでは、人の体に対してマッサージを行うような機能を有していない。
【０００６】
本発明は、このような事情に鑑みてなされたもので、手で体を揉むようなマッサージ効果を、同時に全身で受けることが可能になる高圧ルーム及び高圧ルームの気圧制御方法を提供することにある。
【課題を解決するための手段】
【０００７】
請求項１記載の高圧ルームは、居住空間を形成するチャンバと、チャンバ内の気圧を上げるための加圧手段と、チャンバ内の気圧を下げるための減圧手段とを備え、加圧手段と減圧手段とを用いて、チャンバ内の気圧を脈動させ、チャンバ内の人の体に、気圧の変化によるマッサージを行うことを特徴とする。
【０００８】
請求項２記載の高圧ルームは、常圧より高圧な気圧帯域で、チャンバ内の気圧を脈動させることを特徴とする。
【０００９】
請求項３記載の高圧ルームの気圧制御方法は、居住空間を形成するチャンバ内の気圧を上げるための加圧手段とチャンバ内の気圧を下げるための減圧手段とを用いて、チャンバ内の気圧を脈動させ、チャンバ内の人の体に、気圧の変化によるマッサージを行うことを特徴とする。
【００１０】
請求項４記載の高圧ルームの気圧制御方法は、常圧より高圧な気圧帯域で、チャンバ内の気圧を脈動させることを特徴とする。
【発明の効果】
【００１１】
本願の発明によれば、手で体を揉むようなマッサージ効果を、同時に全身で受けることが可能である。
【図面の簡単な説明】
【００１２】
【図１】本発明に係る高圧ルームの構成の一例を示す説明図である。
【図２】同高圧ルームの気圧制御の一例を示す説明図である。
【発明を実施するための形態】
【００１３】
以下、本発明の形態について図面を参照しながら具体的に説明する。図１は、本発明に係る高圧ルームの構成の一例を示す説明図である。図２は、同高圧ルームの気圧制御の一例を示す説明図である。
【００１４】
図における高圧ルーム１は、居住空間であり室内であるチャンバ内１０ａの気圧を常圧より高圧に維持可能なものである。居住空間を形成するチャンバ１０と、チャンバ内１０ａの気圧を上げるための加圧手段である加圧用コンプレッサ２０と、チャンバ内１０ａの気圧を下げるための減圧手段である減圧用排気弁２２とを備えている。また、チャンバ内１０ａの気圧をモニタするための圧力計３０も備えている。尚、高圧としては、１．５気圧程度までである。
【００１５】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ内１０ａは密閉空間になるような構造である。
【００１６】
加圧用コンプレッサ２０は、チャンバ内１０ａの気圧を上げるための加圧手段であり、チャンバ１０の外側に配置され、チャンバ内１０ａと連通している。加圧用コンプレッサ２０は、加圧手段の一例であり、ポンプ等の他の手段であってもかまわない。
【００１７】
減圧用排気弁２２は、チャンバ内１０ａの気圧を下げるための減圧手段であり、弁の開閉によりチャンバ内１０ａの空気を排出するものである。減圧用排気弁２２は、減圧手段の一例であり、ポンプ等の他の手段であってもかまわない。
【００１８】
尚、本実施の形態における高圧ルーム１では、チャンバ内１０ａの気圧の制御のために、電子計算機により構成された制御装置４０を設け、加圧コンプレッサ２０や減圧用排気弁２２の制御を行うような構成としている。
【００１９】
次に、本実施の形態における高圧ルーム１の動作を説明する（図２参照）。まず、チャンバ内１０ａの気圧を高くする場合には、通常の気圧状態（平地における雰囲気気圧）から、加圧用コンプレッサ２０を動作させて、チャンバ内１０ａを加圧していく。そして、所望の気圧に達したところで加圧用コンプレッサ２０の動作を止め、圧力を維持させるようにする。高圧の状態で維持させる例としては、図２の（ａ）や（ｂ）の例がある。図２の（ａ）の例では、徐々に気圧を上げていき、１．３気圧のところまで上昇させて以後は１．３気圧で一定に保っており、図２の（ｂ）の例では、徐々に気圧を上げていき、１．２５気圧のところまで上昇させて以後は１．２５気圧で一定に保つようにしている。
【００２０】
また、本実施の形態の高圧ルーム１では、チャンバ内１０ａの気圧を脈動させ、チャンバ内１０ａの人の体に、気圧の変化によるマッサージを行うことを可能とする気圧制御を有している。具体的には、図２の（ｃ）の例がある。図２の（ｃ）の例では、気圧を一旦１．３気圧まで上昇させ、その後、減圧用排気弁２２で、気圧を１．２５気圧に下げ、その後に減圧用排気弁２２を閉じて、加圧用コンプレッサ２０で気圧を再び１．３気圧に上昇させ、その後は、この動作を繰り返すようにしている。気圧を脈動させる周期は、図２の（ｃ）の例では、５分周期である。尚、脈動する気圧の変化量や周期は、任意に設定可能である。
【００２１】
尚、気圧の脈動は、常圧より高圧な気圧帯域で、行うことが好ましい。すなわち、脈動の高い方の気圧が、通常の気圧状態（平地における雰囲気気圧）よりも高く、且つ、脈動の低い方の気圧も通常の気圧状態（平地における雰囲気気圧）よりも高くするようにする。
【００２２】
以上のような構造の本実施の形態に係る高圧ルーム１によれば、手で体を揉むようなマッサージ効果を、同時に全身で受けることが可能になる。
【産業上の利用可能性】
【００２３】
以上のように、本発明によれば、手で体を揉むようなマッサージ効果を、同時に全身で受けることが可能になる高圧ルーム及び高圧ルームの気圧制御方法を提供することができる。
【符号の説明】
【００２４】
１・・・・・高圧ルーム
１０・・・・チャンバ
１０ａ・・・チャンバ内
２０・・・・加圧用コンプレッサ
２２・・・・減圧用排気弁
３０・・・・圧力計
４０・・・・制御装置
【図１】
2019025200.tif 000003
【図２】
2019025200.tif 000004